(57)【特許請求の範囲】
【請求項１】
拡大側から順に、正負のレンズを接合してなる一組の接合レンズを含む複数枚のレンズで構成され全体として負の屈折力を有する第１レンズ群、少なくとも１枚の正レンズを含み全体として正の屈折力を有する第２レンズ群、絞り、および正負のレンズを接合してなる一組の接合レンズを含む複数枚のレンズで構成され全体として正の屈折力を有する第３レンズ群が配列され、前記第１レンズ群の最も拡大側のレンズは、少なくとも一方の面に非球面が形成された非球面レンズとされ、該非球面レンズと拡大側から２番目のレンズとの軸上面間隔を変化させて、投映距離変動に伴う歪曲収差および像面の変動を補正するように構成され、以下の条件式（１）〜（４）、（８）を満足することを特徴とする広角投映レンズ。
-7.5＜Ｆ１／Ｆ＜-2.5 ……（１）
5.0＜Ｆ２／Ｆ＜9.5 ……（２）
3.0＜Ｆ３／Ｆ＜4.8 ……（３）
2.8＜Ｆ３／Ｙ＜4.5 ……（４）
40＜νＰ３−νＮ３ ……（８）
ここで、
Ｆ：全系の焦点距離
Ｆ１：第１レンズ群の焦点距離
Ｆ２：第２レンズ群の焦点距離
Ｆ３：第３レンズ群の焦点距離
Ｙ：最大像高
νＰ３：第３レンズ群に含まれる接合レンズのうち正レンズのアッベ数
νＮ３：第３レンズ群に含まれる接合レンズのうち負レンズのアッベ数
【請求項２】
前記第１レンズ群中に、全系のうち最も中心厚の大きなレンズが配されていることを特徴とする請求項１記載の広角投映レンズ。
【請求項３】
前記最も中心厚の大きなレンズは前記第１レンズ群中の接合レンズの正レンズとして用いられ、かつ以下の条件式（５）および（６）のうちの少なくとも一方を満足することを特徴とする請求項２記載の広角投映レンズ。
ＮＰ１＜1.620 ……（５）
5.0＜ＦＡＤ／Ｆ＜6.0 ……（６）
ここで、
ＮＰ１：全系のうち最も中心厚の大きなレンズの屈折率
ＦＡＤ：第１レンズ群中の接合レンズの焦点距離
【請求項４】
前記第２レンズ群中に、全系のうち最も曲率の小さい面を備えたレンズが配されていることを特徴とする請求項１または２記載の広角投映レンズ。
【請求項５】
前記第２レンズ群に含まれる正レンズが下記条件式（７）を満足することを特徴とする請求項１、２、４のうちいずれか１項記載の広角投映レンズ。
νＰ２＜30 ……（７）
ここで、
νＰ２：第２レンズ群に含まれる正レンズのアッベ数
【請求項６】
光源と、ライトバルブと、請求項１〜５のうちいずれか１項記載の広角投映レンズと、スクリーンとを備えたことを特徴とする投写型画像表示装置。
【発明の詳細な説明】
【０００１】
【発明の属する技術分野】
本発明は、液晶表示素子やデジタルマイクロミラー素子（ＤＭＤ）等の、小型の表示素子上の表示画像を拡大投映する投写型画像表示装置の投映レンズに関し、特に広角な投映レンズおよびこれを用いた投写型画像表示装置に関するものである。
【０００２】
【従来の技術および発明が解決しようとする課題】
投写型画像表示装置としては、投映レンズがスクリーンに対して鑑賞者と同じ側に配置され、投映レンズより出射される光を反射型のスクリーンに結像させるフロント方式の装置と、投映レンズと鑑賞者とがスクリーンを挟むように配置され投映レンズより出射される光を透過型のスクリーンに結像させるリア方式の装置とが知られている。このうちリア式の投写型画像表示装置は、光源からスクリーンまでをキャビネットに納め、キャビネット前面に配設されたスクリーンに向けて背面に配された投映レンズから投写される構成がよく知られている。
【０００３】
図６はリア式の投写型画像表示装置の基本的構成を示す図であり、この装置を横方向より見た垂直断面図である。この装置は液晶表示素子上の画像を拡大投映する液晶ビデオプロジェクタで、光源１５からの略平行光束が液晶表示パネル１２の各ドットに照射され、この液晶表示パネル１２に映出された画像情報を担持した光束が、投映レンズ１１により、所定の距離に配されたスクリーン１６の裏面に投写される。鑑賞者はスクリーン１６に拡大投映された画像をこのスクリーン１６の表面側（紙面左側）から見ることになる。なお、図の煩雑を避けるためこの液晶プロジェクタには１枚の液晶表示パネル１２のみを記載しているが、一般には、光源１５からの光束をダイクロイックミラーおよびレンズアレイからなる色分離光学系によりＲ、Ｇ、Ｂの３原色光に分離し、各原色光用に３つの液晶表示パネル１２を配設してフルカラー画像を表示可能な装置とされる。ガラスブロック１３の位置にダイクロイックプリズムを配設することによりこの３原色光を合成することができる。
【０００４】
このようなキャビネット型の投写型画像表示装置においては、以前から装置全体の体積を小さくすることが要望されている。このような要望に応えようとするものとしては、例えば、特開平８−201688号公報に記載されたものがある。装置全体の体積を小さくするためには、投写距離すなわち投映レンズの最もスクリーン側の面からスクリーンまでの距離を短くすることが肝要であり、投映レンズの広角化が求められる。この従来例においてもレンズの広角化（半画角が41度程度）や投映レンズの系中に折り曲げミラーを配設することにより、装置全体の体積を小さくしようとしている。しかし、レンズ系中に折り曲げミラーを配設すれば装置の重量増ともなってしまうため、そのようなことなしに装置の体積を小さくすることができるならばより好ましい。そのためにも、また、更なる省スペース化のためにも、この従来例よりさらに広角な投映レンズが強く求められている。
【０００５】
また、近年では複数台の投映光学ユニットを上下左右に整列させて大画面を表示させる、マルチディスプレイと称される表示方法も頻繁に採用される。この場合に用いられるリア式の投写型画像表示装置においては、大画面となったとき各ユニット毎の継ぎ目部分が目立たぬように、歪曲収差が高度に補正された投映レンズが要求されている。具体的には0.3％以内程度が望まれる。また、倍率色収差に関してもそれは画面の品位を損なう原因であるために、極力排除しなければならない。
【０００６】
しかしながら投映レンズにおいては、半画角40度を超える程度で広角と呼ばれるとおり、縮小側にテレセントリックであることが要求されるために広角化自体が難しいとされている。その上、歪曲収差や倍率色収差を補正することは容易ではない。一般に広角レンズの構成は、絞りを挟んで前群と後群とで対称性が著しく崩れているが、これは特に歪曲収差や倍率色収差の補正を困難にしている。また、テレセントリック性の要求が収差補正をさらに困難にしている。
【０００７】
本発明はこのような事情に鑑みてなされたものであって、広角なレンズでありつつも歪曲収差や倍率色収差を高度に補正した広角投映レンズを提供することを目的とする。また、本発明は上記広角投映レンズを用いた投写型画像表示装置を提供することを目的とするものである。
【０００８】
【課題を解決するための手段】
本発明の広角投映レンズは、拡大側から順に、正負のレンズを接合してなる一組の接合レンズを含む複数枚のレンズで構成され全体として負の屈折力を有する第１レンズ群、少なくとも１枚の正レンズを含み全体として正の屈折力を有する第２レンズ群、絞り、および正負のレンズを接合してなる一組の接合レンズを含む複数枚のレンズで構成され全体として正の屈折力を有する第３レンズ群が配列され、前記第１レンズ群の最も拡大側のレンズは、少なくとも一方の面に非球面が形成された非球面レンズとされ、該非球面レンズと拡大側から２番目のレンズとの軸上面間隔を変化させて、投映距離変動に伴う歪曲収差および像面の変動を補正するように構成され、以下の条件式（１）〜（４）、（８）を満足することを特徴とするものである。
【０００９】
-7.5＜Ｆ１／Ｆ＜-2.5 ……（１）
5.0＜Ｆ２／Ｆ＜9.5 ……（２）
3.0＜Ｆ３／Ｆ＜4.8 ……（３）
2.8＜Ｆ３／Ｙ＜4.5 ……（４）
40＜νＰ３−νＮ３ ……（８）
ここで、
Ｆ：全系の焦点距離
Ｆ１：第１レンズ群の焦点距離
Ｆ２：第２レンズ群の焦点距離
Ｆ３：第３レンズ群の焦点距離
Ｙ：最大像高
νＰ３：第３レンズ群に含まれる接合レンズのうち正レンズのアッベ数
νＮ３：第３レンズ群に含まれる接合レンズのうち負レンズのアッベ数
【００１１】
また、前記第１レンズ群中に、全系のうち最も中心厚の大きなレンズが配されていることが好ましい。また、前記最も中心厚の大きなレンズは前記第１レンズ群中の接合レンズの正レンズとして用いられ、かつ以下の条件式（５）および（６）のうちの少なくとも一方を満足することがより好ましい。
【００１２】
ＮＰ１＜1.620    ……（５）
5.0＜ＦＡＤ／Ｆ＜6.0    ……（６）
ここで、
ＮＰ１：全系のうち最も中心厚の大きなレンズの屈折率
ＦＡＤ：第１レンズ群中の接合レンズの焦点距離
【００１３】
また、前記第２レンズ群中に、全系のうち最も曲率の小さい面を備えたレンズが配されていることが好ましい。また、前記第２レンズ群に含まれる正レンズが下記条件式（７）を満足することが好ましい。
νＰ２＜30    ……（７）
ここで、
νＰ２：第２レンズ群に含まれる正レンズのアッベ数
【００１５】
本発明の投写型画像表示装置は、光源と、ライトバルブと、上記広角投映レンズと、スクリーンとを備えたことを特徴とするものである。
【００１６】
【発明の実施の形態】
以下、本発明の実施形態について図面を用いて説明する。図１は本発明に係る広角投映レンズを示すものであり、後述する実施例１のレンズ構成図および光路図である。このレンズを本実施形態の代表として、以下に説明する。
【００１７】
すなわちこのレンズは、拡大側から順に、正負のレンズを接合してなる一組の接合レンズを含む複数枚のレンズで構成され全体として負の屈折力を有する第１レンズ群Ｇ１、少なくとも１枚の正レンズを含み全体として正の屈折力を有する第２レンズ群Ｇ２、絞り４、および正負のレンズを接合してなる一組の接合レンズを含む複数枚のレンズで構成され全体として正の屈折力を有する第３レンズ群Ｇ３が配列されている。紙面右側より入射され液晶表示パネル２の表示部に映出された画像情報を担持した光束は、クロスプリズム等に相当するガラスブロック３を介しこの広角投映レンズにより、紙面左側方向に拡大投写される。また、図中Ｘは光軸を表している。
【００１８】
ここで、第１レンズ群Ｇ１の最も拡大側のレンズ（第１レンズＬ１）は、少なくとも一方の面に非球面が形成された非球面レンズとされている。この非球面の形状は下記に示す非球面式により規定される。この広角投映レンズは、一体として光軸上を移動されることによりフォーカスを行うが、この非球面レンズと拡大側から２番目のレンズ（第２レンズＬ２）との軸上面間隔を変化させて、投映距離変動に伴う歪曲収差および像面の変動を補正するように構成されている。
【００１９】
【数１】
0004624535.tif 000002
【００２０】
また、第１レンズ群Ｇ１中には全系のうち最も中心厚の大きなレンズ（第６レンズＬ６）が配され、このレンズは第１レンズ群Ｇ１中の接合レンズの正レンズとして用いられている。また、第２レンズ群Ｇ２中に、全系のうち最も曲率の小さい、すなわち最も曲率半径の絶対値が大きい面を備えたレンズ（第７レンズＬ７）が配されている。
【００２１】
さらに、この広角投映レンズは、下記条件式（１）〜（８）を満足するように構成されている。
-7.5＜Ｆ１／Ｆ＜-2.5    ……（１）
5.0＜Ｆ２／Ｆ＜9.5    ……（２）
3.0＜Ｆ３／Ｆ＜4.8    ……（３）
2.8＜Ｆ３／Ｙ＜4.5    ……（４）
ＮＰ１＜1.620    ……（５）
5.0＜ＦＡＤ／Ｆ＜6.0    ……（６）
νＰ２＜30    ……（７）
40＜νＰ３−νＮ３    ……（８）
ここで、
Ｆ：全系の焦点距離
Ｆ１：第１レンズ群Ｇ１の焦点距離
Ｆ２：第２レンズ群Ｇ２の焦点距離
Ｆ３：第３レンズ群Ｇ３の焦点距離
ＦＡＤ：第１レンズ群Ｇ１中の接合レンズの焦点距離
Ｙ：最大像高
ＮＰ１：全系のうち最も中心厚の大きなレンズの屈折率
νＰ２：第２レンズ群Ｇ２に含まれる正レンズのアッベ数
νＰ３：第３レンズ群Ｇ３に含まれる接合レンズのうち正レンズのアッベ数
νＮ３：第３レンズ群Ｇ３に含まれる接合レンズのうち負レンズのアッベ数
【００２２】
つぎに、本発明に係る広角投映レンズを用いた投写型画像表示装置について図２を参照しつつ説明する。図２は後述する実施例１の広角投映レンズを備えた投写型画像表示装置の構成図であり、この装置を横方向より見た垂直断面図である。
【００２３】
この投写型画像表示装置は液晶表示素子上の画像を拡大投映する液晶ビデオプロジェクタで、光源５からの略平行光束が液晶表示パネル２の各ドットに照射され、この液晶表示パネル２に映出された画像情報を担持した光束が、投映レンズ１により、所定の距離に配されたスクリーン６の裏面に投写される。鑑賞者はスクリーン６に拡大投映された画像をこのスクリーン６の表面側（紙面左側）から見ることになる。なお、図の煩雑を避けるためこの液晶プロジェクタには１枚の液晶表示パネル２のみを記載しているが、一般には、光源５からの光束をダイクロイックミラーおよびレンズアレイからなる色分離光学系によりＲ、Ｇ、Ｂの３原色光に分離し、各原色光用に３つの液晶表示パネル２を配設してフルカラー画像を表示可能な装置とされる。ガラスブロック３はこの３原色光を合成するダイクロイックプリズムとすることができる。
【００２４】
以下、本実施形態による広角投映レンズおよびこれを用いた投写型画像表示装置の作用効果について説明する。まず、この広角投映レンズは上述したとおり、拡大側から負の第１レンズ群Ｇ１、正の第２レンズ群Ｇ２、絞り、正の第３レンズ群Ｇ３が配置されている。このようなパワー配分によりこのレンズは広角でありつつも長いバックフォーカスを確保することができ、カラー画像を投映するために必要な色合成用のダイクロイックプリズムをガラスブロック３の位置に挿入することも可能となる。
【００２５】
また、第１レンズ群Ｇ１の最も拡大側のレンズを非球面とすることにより歪曲収差を効果的に補正することが可能となる。この非球面レンズはいずれか一方の面が非球面とされたレンズであっても効果を得ることができるが、両面が非球面とされたレンズであることがより好ましい。さらに、第１レンズ群Ｇ１には全系のうち最も中心厚の大きい正のレンズが配され、第１レンズ群Ｇ１の負の屈折力から生ずる負のペッツバール和を打ち消すように作用する。
【００２６】
また、第２レンズ群Ｇ２は、適切に設定された第３レンズ群Ｇ３の正の屈折力と広角化を担う第１レンズ群Ｇ１の負の屈折力をうまくつなぎ、かつ全系の大きさが非現実的に大きくなってしまわないようにする役割を担っている。この位置に配されるレンズは感度が大きくなりやすく、あまり曲率が強いレンズの場合には、製造時に設計値から僅かにズレを生じただけでも投映レンズの性能、特にタンジェンシャル像面での性能が劣化しやすくなってしまう。第２レンズ群Ｇ２中に全系のうち最も曲率の小さい面を備えたレンズを配することで、投映レンズ製造時の誤差の許容度が高まり、製造性が向上する。
【００２７】
以下、各条件式について述べる。条件式（１）は第１レンズ群Ｇ１のパワーを規定する式で、この下限値を超え第１レンズ群Ｇ１の負のパワーが小さくなると適切なバックフォーカスを確保することができない。また、この上限値を超えるほど負のパワーが強くなるとコマ収差が大きくなり補正が困難となる。条件式（２）は第２レンズ群Ｇ２のパワーを規定する式で、この下限値を超え第２レンズ群Ｇ２の正のパワーが大きくなるとコマ収差が大きくなりすぎて補正が困難となる。また、この上限値を超えるほど正のパワーが弱くなると第１レンズ群Ｇ１の外径が大きくなりすぎて非現実的となる。
【００２８】
条件式（３）は第３レンズ群Ｇ３のパワーを規定する式で、この下限値を超え第３レンズ群Ｇ３の正のパワーが大きくなると適切なバックフォーカスを確保することができない。また、この上限値を超えるとレンズ全長が長くなりすぎる。条件式（４）は最大像高に対する第３レンズ群Ｇ３のパワーを規定する式で、この下限値を超えると第３レンズ群Ｇ３の正の屈折力が強くなりすぎてしまい、縮小側のテレセントリック性と収差補正とを両立することが困難となる。この上限値を超えると投映レンズの全長が長くなりすぎてしまう。
【００２９】
条件式（５）および（６）は負の屈折力を有する第１レンズ群Ｇ１中に配された、全系のうち最も中心厚の大きな正のレンズに関する規定で、少なくとも一方を満足することが好ましい。条件式（５）はこのレンズの屈折率を規定する式で、この上限値を超えるとペッツバール和が負で大きくなりすぎ像面オーバーになってしまう。条件式（６）はこのレンズと負レンズとが接合された接合レンズのパワーを規定する式で、この下限値を超えると球面収差が大きくなりすぎて補正が困難となる。この上限値を超えるとペッツバール和が負で大きくなりすぎ像面オーバーになってしまう。
【００３０】
条件式（７）は第２レンズ群Ｇ２に含まれる正レンズの材料について規定する式で、第２レンズ群Ｇ２に配される正レンズは１枚であっても複数枚であってもこの式を満足することが望ましい。この上限値を超えると色収差、特に軸上色収差がオーバーになりすぎ補正が困難となる。条件式（８）は第３レンズ群Ｇ３中の接合レンズの材料について規定する式で、この接合レンズは倍率色収差および軸上色収差を補正するように作用しており、この下限値を超えると色収差のバランスが崩れてしまう。
【００３１】
本実施形態の広角投映レンズはこのような構成とされているので、広角なレンズでありつつも歪曲収差や倍率色収差を高度に補正することができる。したがって、この広角投映レンズを用いた投写型画像表示装置は、レンズの投写距離が短縮された分だけ従来の装置に比べ体積を小さくすることができ、装置のコンパクト化、軽量化を図ることができる。
【００３２】
前述した図６の装置および本実施形態の投写型画像表示装置の図２を比較すれば、本実施形態によるコンパクト化の効果は明らかである。ここで、図６のスクリーン１６の大きさｈは810.7ｍｍ、図２のスクリーン６の大きさｈは806.5ｍｍで、この違いは投映レンズの歪曲収差の値が異なるために生じる程度の差であり、両者は本質的には同じ大きさのスクリーンサイズの装置とみることができる。図６の装置の奥行き（共役長）ｄは1046ｍｍ、図２の装置の奥行き（共役長）ｄは800ｍｍであり、本実施形態の広角投映レンズを用いた投写型画像表示装置によれば、広角でありつつも歪曲収差や倍率色収差が高度に補正されたレンズを用いることにより、装置を小型化することができる。また、このレンズによれば、例えば図６の投映レンズの系中にミラーを配設した場合よりも遥かに効果的に装置サイズを小さくすることができる。レンズ系中にミラーを配設する場合には、それだけ装置の重量も増加してしまうが、本実施形態の広角投映レンズによればミラーを配設せずともコンパクトな装置を得ることができる。
【００３３】
また、本実施形態の広角投映レンズを用いた投写型画像表示装置は、上述したように歪曲収差や倍率色収差が高度に補正されているので、マルチディスプレイとして複数台の投映光学ユニットを上下左右に整列させて大画面を表示させる場合にも各ユニット毎の継ぎ目部分が目立たず、高画質な大画面を得ることができる。
【００３４】
【実施例】
以下、各実施例についてデータを用いて具体的に説明する。
【００３５】
＜実施例１＞
この実施例１にかかる広角投映レンズは、前述したように図１に示す如き構成とされている。すなわちこのレンズは、第１レンズ群Ｇ１が拡大側より順に、拡大側に凸面を向けた両面同曲率のメニスカスレンズよりなり両面が非球面とされた第１レンズＬ１、拡大側に凸面を向けた負メニスカスレンズよりなる第２レンズＬ２、拡大側に凸面を向けた負メニスカスレンズよりなる第３レンズＬ３、曲率の大きい面を拡大側に向けた両凹レンズよりなる第４レンズＬ４、および拡大側に凸面を向けた負メニスカスレンズよりなる第５レンズＬ５と拡大側に曲率の大きい面を向けた両凸レンズよりなる第６レンズＬ６との接合レンズから構成される。第６レンズＬ６は全系のうち最も中心厚の大きなレンズとされている。
【００３６】
第２レンズ群Ｇ２は拡大側に凸面を向けた正メニスカスレンズよりなる第７レンズＬ７の１枚により構成され、この第７レンズＬ７の縮小側の面は全系のうち最も曲率の小さい面とされている。第３レンズ群Ｇ３は拡大側より順に、拡大側に曲率の大きい面を向けた両凹レンズよりなる第８レンズＬ８と縮小側に曲率の大きい面を向けた両凸レンズよりなる第９レンズＬ９との接合レンズ、縮小側に曲率の大きい面を向けた両凸レンズよりなる第１０レンズＬ１０および縮小側に曲率の大きい面を向けた両凸レンズよりなる第１１レンズＬ１１から構成されている。
【００３７】
この広角投映レンズの各レンズ面の曲率半径Ｒ（ｍｍ）、各レンズの中心厚および各レンズ間の空気間隔（以下、軸上面間隔と称する）Ｄ（ｍｍ）、各レンズのｄ線における屈折率Ｎおよび各レンズのｄ線におけるアッベ数νの値は表１の上段に示すようになっている。なお、表１および以下の表において表中左側の面番号の数字は拡大側からの順番を表すものであり、非球面とされた面には＊印が付されている。また、表１および以下の表において、第０面はスクリーンに、第25面は液晶表示パネルの表示面に相当する。表１の下段には各非球面に対応する各定数Ｋ、Ａ４、Ａ６、Ａ８、Ａ１０の値が示されている。なお、実施例１および以下に示す各実施例はいずれもＦ値＝3.0、半画角ω＝46.7度、共役長800ｍｍで、52型の投映画面サイズに対応する広角投映レンズとされている。
【００３８】
実施例１の各条件式（１）〜（８）に関する値は後述する表４に示すとおりである。表４に示すように、上記条件式（１）〜（８）は全て満足されている。
【００３９】
【表１】
0004624535.tif 000003
【００４０】
＜実施例２＞図７に示すように、この実施例２にかかる広角投映レンズは、実施例１のレンズと略同様の構成とされている。この広角投映レンズの各レンズ面の曲率半径Ｒ（ｍｍ）、各レンズの軸上面間隔Ｄ（ｍｍ）、各レンズのｄ線における屈折率Ｎおよび各レンズのｄ線におけるアッベ数νの値は表２の上段に示すようになっている。表２の下段には各非球面に対応する各定数Ｋ、Ａ４、Ａ６、Ａ８、Ａ１０の値が示されている。実施例２の各条件式（１）〜（８）に関する値は後述する表４に示すとおりである。表４に示すように、上記条件式（１）〜（８）は全て満足されている。
【００４１】
【表２】
0004624535.tif 000004
【００４２】
＜実施例３＞図８に示すように、この実施例３にかかる広角投映レンズは、実施例１のレンズと略同様の構成とされている。この広角投映レンズの各レンズ面の曲率半径Ｒ（ｍｍ）、各レンズの軸上面間隔Ｄ（ｍｍ）、各レンズのｄ線における屈折率Ｎおよび各レンズのｄ線におけるアッベ数νの値は表３の上段に示すようになっている。表３の下段には各非球面に対応する各定数Ｋ、Ａ４、Ａ６、Ａ８、Ａ１０の値が示されている。実施例３の各条件式（１）〜（８）に関する値は後述する表４に示すとおりである。表４に示すように、上記条件式（１）〜（８）は全て満足されている。
【００４３】
【表３】
0004624535.tif 000005
【００４４】
表４には実施例１〜３の全系の焦点距離Ｆおよび各条件式（１）〜（８）に対応する値が示されている。
【００４５】
【表４】
0004624535.tif 000006
【００４６】
図３〜５は、本実施例１〜３に係る広角投映レンズの諸収差（球面収差、非点収差、ディストーションおよび倍率色収差）を示す収差図である。なお、球面収差図および非点収差図においては波長455ｎｍ（Ｂ）、波長546.1ｎｍ（Ｇ）、波長615ｎｍ（Ｒ）に関する収差を示し、倍率色収差図は波長546.1ｎｍ（Ｇ）に対する波長455ｎｍ（Ｂ）および波長615ｎｍ（Ｒ）の収差を示す。また、非点収差図において、実線はサジタル（Ｓ）像面、点線はタンジェンシャル（Ｔ）像面に対する収差を示しており、符号は１文字めのＳまたはＴが像面を示し、２文字めのＢ、ＧまたはＲが波長を示している。これらの収差図においてωは半画角を示す。図３〜５に示すように、本実施例１〜３にかかる広角投映レンズは、歪曲収差や倍率色収差をはじめ各収差が高度に補正され、半画角46.7度と広角な投映レンズとされている。
【００４７】
なお、本発明の広角投映レンズとしては、上記実施例のものに限られるものではなく種々の態様の変更が可能であり、例えば各レンズの曲率半径Ｒおよびレンズ間隔（もしくはレンズ厚）Ｄを適宜変更することが可能である。なお、上記実施例においては、本発明のレンズを透過型の液晶表示パネルを用いた装置の投映レンズとして用いているが、本発明の投映レンズの使用態様はこれに限られるものではなく、反射型の液晶表示パネルを用いた装置の投映レンズあるいはＤＭＤ等の他の光変調手段を用いた装置の投映レンズ等として用いることも可能である。
【００４８】
【発明の効果】
以上説明したように、本発明の広角投映レンズによれば、所定のレンズ構成および所定の条件式を満足することにより、特に歪曲収差や倍率色収差が高度に補正された高性能な広角投映レンズを得ることができる。また、本発明の投写型画像表示装置は上記広角投映レンズを用いているので、投写距離を短くすることができ、装置全体の体積を小さくすることができる。さらに、この広角投映レンズは歪曲収差や倍率色収差が高度に補正されているので、マルチディスプレイとしても好適な投写型画像表示装置を得ることができる。
【図面の簡単な説明】
【図１】実施例１にかかる広角投映レンズのレンズ構成図および光路図
【図２】実施例１にかかる広角投映レンズを用いた投写型画像表示装置の構成図
【図３】実施例１にかかる広角投映レンズの諸収差図
【図４】実施例２にかかる広角投映レンズの諸収差図
【図５】実施例３にかかる広角投映レンズの諸収差図
【図６】リア式の投写型画像表示装置の基本的構成を示す図
【図７】実施例２にかかる広角投映レンズのレンズ構成図および光路図
【図８】実施例３にかかる広角投映レンズのレンズ構成図および光路図
【符号の説明】
Ｇ１〜Ｇ３    レンズ群
Ｌ１〜Ｌ１１    レンズ
Ｒ１〜Ｒ２５    曲率半径
Ｄ０〜Ｄ２４    軸上面間隔
１、１１    投映レンズ
２、１２    液晶表示パネル
３、１３    ガラスブロック
４    絞り
５、１５    光源
６、１６    スクリーン
Ｘ    光軸
【図１】
0004624535.tif 000007
【図２】
0004624535.tif 000008
【図３】
0004624535.tif 000009
【図４】
0004624535.tif 000010
【図５】
0004624535.tif 000011
【図６】
0004624535.tif 000012
【図７】
0004624535.tif 000013
【図８】
0004624535.tif 000014